(57)【要約】リモートコントロールインタフェースには、データ信号に応答してドライブライン・スキャンラインインタラクションを生成するコンバータと、ドライブライン・スキャンラインインタラクションに応答してコマンド信号を生成する生成装置とを有する第１サブインタフェースが設けられる。このようなリモートコントロールインタフェースは、直接的かつ完全な変換を行わず、第１装置コードを有する入力データ信号をドライブライン・スキャンラインインタラクションに変換し、ドライブライン・スキャンラインインタラクションを第２装置コードを有するコマンド信号に変換する。この結果、リモートコントロールインタフェースは低コストとなる。コンバータは、データ信号に応答して中間信号を生成するコントローラと、中間信号に応答して拡張中間信号を生成する拡張装置と、拡張中間信号に応答してドライブライン・スキャンラインインタラクションを生成する（デ）マルチプレクサとを有する。リモートコントロールインタフェースはさらに、第２サブインタフェースを有してもよい。
2008514092.tif 000002
【特許請求の範囲】
【請求項１】
コントロールユニットをソースとするデータを有するデータ信号を受信する受信機と、
前記データ信号に応答して、ドライブライン・スキャンラインインタラクションを生成するコンバータと、
前記ドライブライン・スキャンラインインタラクションに応答して、コマンド信号を生成する生成装置と、
前記コマンド信号に応答して、無線出力信号を送信する送信機と、
を有するリモートコントロールインタフェース。
【請求項２】
前記コンバータは、
前記データ信号に応答して、中間信号を生成するコントローラと、
前記中間信号に応答して、前記ドライブライン・スキャンラインインタラクションを生成する（デ）マルチプレクサと、
を有する、請求項１記載のリモートコントロールインタフェース。
【請求項３】
前記コンバータは、
前記データ信号に応答して、中間信号を生成するコントローラと、
前記中間信号に応答して、拡張中間信号を生成する拡張装置と、
前記拡張中間信号に応答して、前記ドライブライン・スキャンラインインタラクションを生成する（デ）マルチプレクサと、
を有する、請求項１記載のリモートコントロールインタフェース。
【請求項４】
前記（デ）マルチプレクサは、
第１拡張中間信号と、前記生成装置をソースとするドライブライン信号とに応答して、コントロール信号を生成する第１（デ）マルチプレクサ回路と、
第２拡張中間信号と前記コントロール信号とに応答して、前記生成装置を送信先とするスキャンライン信号を生成する第２（デ）マルチプレクサ回路と、
を有し、
前記ドライブライン信号と前記スキャンライン信号とは共に、前記ドライブライン・スキャンラインインタラクションを構成する、請求項３記載のリモートコントロールインタフェース。
【請求項５】
前記受信機は、無線受信機を有し、
前記データ信号は、無線データ信号を有する、請求項１記載のリモートコントロールインタフェース。
【請求項６】
前記受信機は、非無線受信機を有し、
前記データ信号は、非無線データ信号を有する、請求項１記載のリモートコントロールインタフェース。
【請求項７】
各々が異なる無線制御規格に従って受信動作を行う前記受信機と、さらに他の受信機とを有する、請求項１記載のリモートコントロールインタフェース。
【請求項８】
各々が異なる無線制御規格に従って送信動作を行う前記送信機と、さらに他の送信機とを有する、請求項１記載のリモートコントロールインタフェース。
【請求項９】
無線信号と、前記コントロールユニットをソースとするデータとを有するリモートコントロール信号を受信するさらなる受信機と、
前記リモートコントロール信号を前記データ信号に変換する変換装置と、
前記データ信号を前記受信機に送信するさらなる送信機と、
をさらに有する、請求項１記載のリモートコントロールインタフェース。
【請求項１０】
第１装置を遠隔制御するコントロールユニットと、
第２装置を遠隔制御するリモートコントロールインタフェースと、
を有するシステムであって、
前記リモートコントロールインタフェースは、
前記コントロールユニットをソースとするデータを有するデータ信号を受信する受信機と、
前記データ信号に応答して、ドライブライン・スキャンラインインタラクションを生成するコンバータと、
前記ドライブライン・スキャンラインインタラクションに応答して、コマンド信号を生成する生成装置と、
前記コマンド信号に応答して、無線出力信号を送信する送信機と、
を有するシステム。
【請求項１１】
前記第１装置をさらに有する、請求項１０記載のシステム。
【請求項１２】
第１装置を遠隔制御するシステムにおいて使用されるコントロールユニットであって、
前記システムは、第２装置を遠隔制御するリモートコントロールインタフェースを有し、
前記リモートコントロールインタフェースは、
当該コントロールユニットをソースとするデータを有するデータ信号を受信する受信機と、
前記データ信号に応答して、ドライブライン・スキャンラインインタラクションを生成するコンバータと、
前記ドライブライン・スキャンラインインタラクションに応答して、コマンド信号を生成する生成装置と、
前記コマンド信号に応答して、無線出力信号を送信する送信機と、
を有し、
当該コントロールユニットは、
第１無線送信規格を利用した無線送信機を有し、リモートコントロール信号を前記第１装置に送信する第１送信機と、
前記第１無線送信規格と異なる第２無線送信規格を利用した無線送信機を有し、前記データ信号を前記受信機に送信する第２送信機と、
を有するコントロールユニット。
【請求項１３】
当該第１装置を遠隔制御するコントロールユニットと、第２装置を遠隔制御するリモートコントロールインタフェースとを有するシステムにおいて使用される第１装置であって、
前記リモートコントロールインタフェースは、
前記コントロールユニットをソースとするデータを有するデータ信号を受信する受信機と、
前記データ信号に応答して、ドライブライン・スキャンラインインタラクションを生成するコンバータと、
前記ドライブライン・スキャンラインインタラクションに応答して、コマンド信号を生成する生成装置と、
前記コマンド信号に応答して、無線出力信号を送信する送信機と、
を有し、
当該第１装置は、
無線信号を有し、前記コントロールユニットをソースとするデータを有するリモートコントロール信号を受信するさらなる受信機と、
前記リモートコントロール信号を前記データ信号に変換する変換装置と、
前記データ信号を前記受信機に送信するさらなる送信機と、
を有する第１装置。
【請求項１４】
装置を制御する方法であって、
装置の制御用のデータを有するデータ信号を受信するステップと、
前記データ信号に応答して、ドライブライン・スキャンラインインタラクションを生成するステップと、
前記ドライブライン・スキャンラインインタラクションに応答して、前記装置にアクションを実行するよう指示するステップと、
を有する方法。
【請求項１５】
コマンド信号を生成する方法であって、
コントロールユニットをソースとするデータを有するデータ信号を受信するステップと、
前記データ信号に応答して、ドライブライン・スキャンラインインタラクションを生成するステップと、
前記ドライブライン・スキャンラインインタラクションに応答して、前記コマンド信号を生成するステップと、
前記コマンド信号に応答して、無線出力信号を送信するステップと、
を有する方法。
【請求項１６】
コントロールユニットをソースとするデータを有するデータ信号を受信するファンクションと、
前記データ信号に応答して、ドライブライン・スキャンラインインタラクションを生成するファンクションと、
を有するプロセッサプログラム。
【請求項１７】
前記ドライブライン・スキャンラインインタラクションに応答して、前記コマンド信号を生成するファンクションと、
前記コマンド信号に応答して、無線出力信号を送信するファンクションと、
をさらに有する、請求項１６記載のプロセッサプログラム。
【発明の詳細な説明】
【技術分野】
【０００１】
本発明は、リモートコントロールインタフェースに関し、またシステム、コントロールユニット、第１装置、方法及びプロセッサプログラムプロダクトに関する。
【０００２】
本発明のシステムは、第１メーカーによって製造されたコンシューマ装置などの第１装置を遠隔制御するコントロールユニットと、第２メーカーによって製造されたコンシューマ装置などの第２装置を遠隔制御するリモートコントロールインタフェースとを有する。
【０００３】
ここでは、「プロセッサプログラムプロダクト」という表現は、本発明の機能を実現するため、データプロセッサ又はマイクロコントローラ上で実行するためのソフトウェアコードを表すのに使用される。
【背景技術】
【０００４】
ＵＳ２００３／０２２７４０７Ａ１から、既存のコンシューマ装置を制御するための既存のリモートコントロールユニットをそれの図２において開示する従来技術によるリモートコントロールインタフェースが知られている。新たなコンシューマ装置は、既存のコンシューマ装置に加えられている。この第１コンシューマ装置は、第１装置コントロールコードを使用し、第２コンシューマ装置は、第２装置コントロールコードを使用する。既存のリモートコントロールユニットにより新たなコンシューマ装置を制御可能とするため、第１装置コントロールコードを第２装置コントロールコードに変換する手段が、紹介された。図４に開示されるように、これらの手段は、コントローラとメモリとを有する。従って、従来技術によるリモートコントロールインタフェースは、コントローラとメモリとを有する。
【０００５】
既知のリモートコントロールインタフェースは、それが第１装置コントロールコードを第２装置コントロールコードに直接的かつ完全に変換するという事実による問題がある。従って、異なる２つの装置のコントロール言語の各組み合わせに対して、直接的かつ完全な変換が開発される必要があり、リモートコントロールインタフェースに格納されねばならない。これは、既知のリモートコントロールインタフェースを相対的にコスト高にする。
【発明の開示】
【発明が解決しようとする課題】
【０００６】
本発明の課題は、相対的に低コストのリモートコントロールインタフェースを提供することである。
【０００７】
本発明のさらなる課題は、相対的に低コストのリモートコントロールインタフェースの少なくとも一部（組み合わせにより）において使用するためのシステム、コントロールユニット、第１装置、方法及びプロセッサプログラムプロダクトを提供することである。
【０００８】
本発明の他の課題は、１つの装置セット上での各種タイプのリモートコントロール及び／又は規格の使用を可能にすることである。
【課題を解決するための手段】
【０００９】
本発明によるリモートコントロールインタフェースは、コントロールユニットをソースとするデータを有するデータ信号を受信する受信機と、前記データ信号に応答して、ドライブライン・スキャンラインインタラクションを生成するコンバータと、前記ドライブライン・スキャンラインインタラクションに応答して、コマンド信号を生成する生成装置と、前記コマンド信号に応答して、無線出力信号を送信する送信機とを有する。
【００１０】
コントロールユニットを直接的又は間接的にソースとするデータ信号に応答して、ドライブライン・スキャンラインインタラクションを生成するためのコンバータを導入することによって、及びドライブライン・スキャンラインインタラクションに応答してコマンド信号を生成する生成装置を導入することによって、本発明によるリモートコントロールインタフェースは、直接的かつ完全な変換を実行しない、その代わりに、本発明のリモートコントロールインタフェースは、まず第１装置コードを有する入力データ信号をドライブライン・スキャンラインインタラクションに変換し、その後、当該ドライブライン・スキャンラインインタラクションを第２装置コードを有するコマンド信号に変換する。この結果、１つの複雑な変換の代わりに、２つのシンプルな変換が行われる必要があり、リモートコントロールインタフェースは相対的に低コストとなる。
【００１１】
データ信号をドライブライン・スキャンラインインタラクションに変換することは、既存の生成装置が使用されることを可能にする、既存の生成装置は、ドライブライン・スキャンラインインタラクションに応答してコマンド信号を生成する。このような既存の生成装置は、既存のコントロールユニットにおいて使用され、その後、キーボードからそれらのドライブライン・スキャンラインインタラクションを受信する。本発明によると、キーボードは、リモートコントロールインタフェースの核心部を構成するコンバータと生成装置と組み合わせることにより、コンバータと置換される。
【００１２】
ＵＳ２００４／００２７４９５は、リモートコントロールインタフェースを介し装置を制御するリモートコントロールとして使用される携帯電話を開示している。当該携帯電話は、Ｂｌｕｅｔｏｏｔｈ送信機を有し、リモートコントロールインタフェースは、Ｂｌｕｅｔｏｏｔｈ受信機と赤外線送信機とを有する。Ｂｌｕｅｔｏｏｔｈ受信機と赤外線送信機とは、互いに中央処理ユニット、すなわちＣＰＵを介し接続される。このＣＰＵは、入力されたＢｌｕｅｔｏｏｔｈ信号を出力赤外線信号に直接的かつ完全に変換する。
【００１３】
本発明によるリモートコントロールインタフェースの実施例は、前記データ信号に応答して、中間信号を生成するコントローラと、前記中間信号に応答して、前記ドライブライン・スキャンラインインタラクションを生成する（デ）マルチプレクサとを有するコンバータにより規定される。当該コンバータでは、コントローラは、データ信号を中間信号に変換することを引き受け、（デ）マルチプレクサは、中間信号をドライブライン・スキャンラインインタラクションに変換することを引き受ける。異なるデータ信号が可能な場合、異なるコントローラが設計される必要があり、又は適応的コントローラが使用される必要がある。そのとき、（デ）マルチプレクサは、同じままにすることができる。異なるドライブライン・スキャンラインインタラクションが必要な場合、異なる（デ）マルチプレクサが設計される必要があり、又は適応的（デ）マルチプレクサが使用される必要がある。このとき、コントローラは同じままとすることができる。
【００１４】
本発明によるリモートコントロールインタフェースの実施例は、前記データ信号に応答して、中間信号を生成するコントローラと、前記中間信号に応答して、拡張中間信号を生成する拡張装置と、前記拡張中間信号に応答して、前記ドライブライン・スキャンラインインタラクションを生成する（デ）マルチプレクサとを有するコンバータにより規定される。当該コンバータでは、コントローラと拡張装置とが、データ信号を拡張中間信号に変換することを引き受け、（デ）マルチプレクサが、拡張中間信号をドライブライン・スキャンラインインタラクションに変換することを引き受ける。異なるデータ信号が可能な場合には、異なるコントローラが設計される必要があり、又は適応的コントローラが使用される必要がある。このとき、（デ）マルチプレクサは同じままとすることが可能である。異なるドライブライン・スキャンラインインタラクションが求められる場合、異なる（デ）マルチプレクサが設計される必要があり、又は適応的な（デ）マルチプレクサが使用される必要がある。このとき、コントローラは同じままとすることが可能である。
【００１５】
本発明によるリモートコントロールインタフェースの実施例は、第１拡張中間信号と、前記生成装置をソースとするドライブライン信号とに応答して、コントロール信号を生成する第１（デ）マルチプレクサ回路と、第２拡張中間信号と前記コントロール信号とに応答して、前記生成装置を送信先とするスキャンライン信号を生成する第２（デ）マルチプレクサ回路とを有する（デ）マルチプレクサにより規定される。前記ドライブライン信号と前記スキャンライン信号とは共に、前記ドライブライン・スキャンラインインタラクションを構成する。この（デ）マルチプレクサは、２つの７４ＨＣ４０５１集積回路などの２つの（デ）マルチプレクサ回路を有する。このとき、拡張装置は、例えば、ＰＣＦ８５７４集積回路を有し、生成装置は、例えば、ｕＰＤ１７２４０ＭＣ集積回路を有する。当該実施例は、極めて低コストであり、極めてシンプルである。しかしながら、本発明によるリモートコントロール、コンバータ及び／又は（デ）マルチプレクサの他の多数の実施例が、本発明の範囲から逸脱することなく可能である。例えば、コントローラと拡張装置は、単一の回路に一体化されてもよい。
【００１６】
本発明のリモートコントロールインタフェースの実施例は、前記受信機は無線受信機であり、前記データ信号は無線データ信号であることによって規定される。このような無線データ信号は、リモートコントロールインタフェースを直接的又は間接的にソースとし、例えば、赤外線、無線周波数、超音波、レーザビーム又は音響的なものであってもよい。
【００１７】
本発明のリモートコントロールインタフェースの実施例は、前記受信機は非無線受信機であり、前記データ信号は非無線データ信号であることにより規定される。このような非無線データ信号は、例えば、コントロールユニットを間接的にソースとする有線信号であってもよい。
【００１８】
本発明のリモートコントロールインタフェースの実施例は、各々が異なる無線制御規格に従って受信動作を行う前記受信機と、さらに他の受信機とを有するにより規定される。
【００１９】
本発明のリモートコントロールインタフェースの実施例は、各々が異なる無線制御規格に従って送信動作を行う前記送信機と、さらに他の送信機とを有することにより規定される。
【００２０】
本発明のリモートコントロールインタフェースの実施例は、無線信号と、前記コントロールユニットをソースとするデータとを有するリモートコントロール信号を受信するさらなる受信機と、前記リモートコントロール信号を前記データ信号に変換する変換装置と、前記データ信号を前記受信機に送信するさらなる送信機とをさらに有することにより規定される。当該リモートコントロールインタフェースは、２つのサブインタフェースを有する。第１サブインタフェースは、受信機、コンバータ、生成装置及び送信機を有する。第２サブインタフェースは、さらなる受信機、変換装置及びさらなる送信機を有する。２つのサブインタフェースは、１つのハウジングに配置され、この場合、さらなる送信機と受信機は、赤外線、無線周波数、超音波、レーザビーム又は音響信号などの無線信号を交換し、又は非無線若しくは有線信号を交換する。
【００２１】
本発明によるシステムは、第１装置を遠隔制御するコントロールユニットと、第２装置を遠隔制御するリモートコントロールインタフェースとを有する。前記リモートコントロールインタフェースは、前記コントロールユニットをソースとするデータを有するデータ信号を受信する受信機と、前記データ信号に応答して、ドライブライン・スキャンラインインタラクションを生成するコンバータと、前記ドライブライン・スキャンラインインタラクションに応答して、コマンド信号を生成する生成装置と、前記コマンド信号に応答して、無線出力信号を送信する送信機とを有する。
【００２２】
本発明のシステムの実施例は、前記第１装置をさらに有することにより規定される。
【００２３】
本発明によるコントロールユニットは、第１装置を遠隔制御するコントロールユニットを有し、さらに第２装置を遠隔制御するリモートコントロールインタフェースを有するシステムにおいて使用するため設計されている。本システムのリモートコントロールインタフェースは、当該コントロールユニットをソースとするデータを有するデータ信号を受信する受信機と、前記データ信号に応答して、ドライブライン・スキャンラインインタラクションを生成するコンバータと、前記ドライブライン・スキャンラインインタラクションに応答して、コマンド信号を生成する生成装置と、前記コマンド信号に応答して、無線出力信号を送信する送信機とを有する。上記システムで使用されるコントロールユニットは、第１無線送信規格を利用した無線送信機を有し、リモートコントロール信号を前記第１装置に送信する第１送信機と、前記第１無線送信規格と異なる第２無線送信規格を利用した無線送信機を有し、前記データ信号を前記受信機に送信する第２送信機とを有する。すなわち、本発明によるコントロールユニットは、赤外線送信機などであるそれの第１送信機に加えて、異なる無線送信規格を利用した他の無線送信機である第２送信の形態による第２サブインタフェースの一部を有する。本発明によるコントロールユニットは、第１装置を直接制御し、第２装置を第２サブインタフェースを介し間接的に制御する。
【００２４】
本発明による第１装置は、当該第１装置を遠隔制御するコントロールユニットと、第２装置を遠隔制御するリモートコントロールインタフェースとを有するシステムにおいて使用される。本システムの前記リモートコントロールインタフェースは、前記コントロールユニットをソースとするデータを有するデータ信号を受信する受信機と、前記データ信号に応答して、ドライブライン・スキャンラインインタラクションを生成するコンバータと、前記ドライブライン・スキャンラインインタラクションに応答して、コマンド信号を生成する生成装置と、前記コマンド信号に応答して、無線出力信号を送信する送信機とを有する。このようなシステムにおいて使用される第１装置は、無線信号を有し、前記コントロールユニットをソースとするデータを有するリモートコントロール信号を受信するさらなる受信機と、前記リモートコントロール信号を前記データ信号に変換する変換装置と、前記データ信号を前記受信機に送信するさらなる送信機とを有する。すなわち、本発明による第１装置は、第１サブインタフェースと通信する第２サブインタフェースを有する。この第１装置は、コントロールユニットを介し直接制御され、第２装置は、第２及び第１サブインタフェースを介し間接的にリモートコントロールを介し制御される。
【００２５】
本発明による第１の方法は、装置の制御用のデータを有するデータ信号を受信するステップと、前記データ信号に応答して、ドライブライン・スキャンラインインタラクションを生成するステップと、前記ドライブライン・スキャンラインインタラクションに応答して、前記装置にアクションを実行するよう指示するステップとを有する。通常動作では、当該装置は、ドライブライン・スキャンラインインタラクションを利用して、キーボードからのコントロールを受信するかもしれない。
【００２６】
本発明による第２方法は、コントロールユニットをソースとするデータを有するデータ信号を受信するステップと、前記データ信号に応答して、ドライブライン・スキャンラインインタラクションを生成するステップと、前記ドライブライン・スキャンラインインタラクションに応答して、前記コマンド信号を生成するステップと、前記コマンド信号に応答して、無線出力信号を送信するステップとを有する。
【００２７】
本発明による第１プロセッサプログラムは、コントロールユニットをソースとするデータを有するデータ信号を受信するファンクションと、前記データ信号に応答して、ドライブライン・スキャンラインインタラクションを生成するファンクションとを有する。
【００２８】
本発明による第２プロセッサプログラムは、コントロールユニットをソースとするデータを有するデータ信号を受信するファンクションと、前記データ信号に応答して、ドライブライン・スキャンラインインタラクションを生成するファンクションと、前記ドライブライン・スキャンラインインタラクションに応答して、前記コマンド信号を生成するファンクションと、前記コマンド信号に応答して、無線出力信号を送信するファンクションとをさらに有する。
【００２９】
各プロセッサプログラムは、独立したプロセッサ上で実行されるサブモジュールを有してもよい。
【００３０】
本発明によるシステム、第１装置、コントロールユニット、方法及びプロセッサプログラムの実施例は、本発明によるリモートコントロールインタフェースの実施例に対応している。
【００３１】
本発明は、１つの複雑な変換が２つのシンプルな変換により置換可能であるという洞察に基づくものであり、コンバータがデータ信号に応答してドライブライン・スキャンラインインタラクションを生成するのに利用され、生成装置がドライブライン・スキャンラインインタラクションに応答して、コマンド信号を生成するのに利用されるという基本的アイデアに基づく。
【００３２】
本発明は、相対的に低コストのリモートコントロールインタフェースを提供する問題を解決するものであり、極めて大量に製造されるコントロールユニットからの既存の生成装置が、コントロールユニットキーボードを置換するコンバータにより利用可能であるという効果がある。コンバータと生成装置の組み合わせは、リモートコントロールインタフェースの核心部を構成する。
【００３３】
本発明の上記及び他の特徴は、以降に説明される実施例を参照することにより明らかとなるであろう。
【発明を実施するための最良の形態】
【００３４】
具体例として、赤外線を介し周辺装置にデータを転送するための送信機であるＩＲブラスタ（ｂｌａｓｔｅｒ）を検討する。ブラスタは、リモートコントロール装置からのＩＲコマンドなどが、リモートコントロール装置から直接的にはコマンドに応答することができないレガシー周辺装置により利用可能な他のフォーマットに符号変換されるシナリオにおいて利用可能である。本発明者は、以下のようなブラスタを実現することを提案する。ブラスタのコントローラは、リモートコントロール装置に使用されるようなコントローラと同一である。回路は、（リモートにおける）キーボード上で押下されるキーを検出するのに使用されるものと同一のコントローラに接続される。キー検出回路は、回路にコントローラを介しＩＲに符号変換されるキーの押下をシミュレートさせるデータを受信するためのものである。この構成の効果は様々である。すなわち、これは、当該実現形態が標準的なコンポーネントを使用するとき、ブラスタを実現する安価な方法である。本発明では、高価なリモートコントロールコードデータベースの使用を回避することが可能であり、コントロールデータは、キー押下のみがシミュレートされるときシンプルである。
【００３５】
図１に示される本発明によるシステム１は、第１の（従来技術による）装置３を遠隔制御するためのリモートコントロールユニットなどの（従来技術による）コントロールユニット２を有し、さらに第２の（従来技術による）装置５を遠隔制御するための本発明によるリモートコントロールインタフェース４を有する。コントロールユニット２は、無線情報１３を第１装置３に送信し、無線情報１４をリモートコントロールインタフェース４に送信するための第１の（従来技術による）無線送信機２０を有する。このリモートコントロールインタフェース４は、無線情報１４を受信し、無線情報１５を第２装置５に送信するための第１サブインタフェース６を有する。コントロールユニット２と第１装置３とは、例えば、第１メーカーにより製造され、第２装置５は、例えば、第２メーカーによって製造される。この第１装置３は第１装置コントロールコードを使用し、第２装置５は第２装置コントロールコードを使用する。この結果、第１装置３は、コントロールユニット２を介し直接制御され、第２装置５は、リモートコントロールインタフェース４を介しコントロールユニット２により間接的に制御される。
【００３６】
図２に示される本発明によるシステム１は、本発明によるリモートコントロールインタフェース４が第１サブインタフェース６と第２サブインタフェース７とを有するという事実を除いて、図１に示されるような本発明によるシステム１に対応する。第２サブインタフェース７は、コントロールユニット２から情報１７を受信し、情報１６を第１サブインタフェース６に送信する。第１サブインタフェース６は、情報１５を第２装置５に送信する。情報１６は、例えば、赤外線、無線周波数、超音波、レーザビーム又は音響チャネルなどの無線チャネルを介し、又は有線チャネルを介し供給可能である。このような有線チャネルは、無線チャネルより低コストである。しかしながら、それはあまりユーザフレンドリーでない。
【００３７】
図３に示される本発明によるシステム１は、本発明による第２サブインタフェース７が第１装置３に配置及び／又は一体化されているという事実を除いて、図２に示される本発明によるシステム１に対応している。第２サブインタフェース７は、コントロールユニット２から情報１７を受信し、情報１６を第１サブインタフェース６に送信する。再び、情報１６は、例えば、赤外線、無線周波数、超音波、レーザビーム又は音響チャネルなどの無線チャネルを介し、又は有線チャネルを介し供給可能である。同一の第１無線送信機２０を共にソースとする情報１３と１７は、第１装置３が、情報１３を受信する（従来技術による）受信機と、情報１７を受信する第２サブインタフェース７の受信構成部とを有するという事実により、独立した情報ストリームとして示される。これら２つの受信機が合成及び／又は一体化される場合、情報１３及び１７は、１つの合成された情報ストリーム１３と１７として示すことができる。
【００３８】
図４に示される本発明によるシステム１は、第１サブインタフェース６が、本発明によるコントロールユニット２から直接的に情報１８を受信するという事実を除いて、図１に示されるような本発明によるシステム１と対応する。本発明によるコントロールユニット２には、第１（従来技術による）送信機２０に加えて第２送信機２１が設けられ、これらの送信機は、異なる送信規格を使用している。従って、この場合には、情報１８は、赤外線、無線周波数、超音波、レーザビーム又は音響若しくは他の無線チャネルなどの無線チャネルを介し供給される。
【００３９】
本発明によるリモートコントロールインタフェース４の図５に示される第１サブインタフェース６は、コントロールユニット２をソースとするデータを有するデータ信号を受信する受信機６０を有する。このデータ信号は、図１及び４に示されるように、コントロールユニット２から直接的に到来し、この場合には、データ信号は情報１４又は１８に対応するか、あるいは図２及び３に示されるように、第２サブインタフェース７を介しコントロールユニット２から間接的に到来し、この場合には、データ信号は情報１６に対応する。当該情報１６は、有線情報（有線受信機である受信機６０による）又は無線情報（無線受信機である受信機６０による）であってもよい。第１サブインタフェース６はさらに、データ信号に応答して、ドライブライン・スキャンラインインタラクションを生成するコンバータ６１と、当該ドライブライン・スキャンラインインタラクションに応答して、コマンド信号を生成する生成装置６２と、コマンド信号に応答して、無線出力信号を送信する送信機６３とを有する。この無線出力信号は、図１〜４に示される無線情報１５に対応する。
【００４０】
コンバータ６１は、データ信号に応答して、中間信号を生成するコントローラ６４と、中間信号に応答して、拡張された中間信号を生成する拡張装置６５と、拡張された中間信号に応答して、ドライブライン・スキャンラインインタラクションを生成する（デ）マルチプレクサ６６と６７とを有する。（デ）マルチプレクサ６６と６７は、第１拡張中間信号と、生成装置６２をソースとするドライブライン信号とに応答して、コントロール信号を生成する第１（デ）マルチプレクサ回路６６と、第２拡張中間信号とコントロール信号とに応答して、生成装置６２を送信先とするスキャンライン信号を生成する第２（デ）マルチプレクサ回路６７とを有し、これにより、ドライブライン信号とスキャンライン信号は共に、ドライブライン・スキャンラインインタラクションを構成する。コントローラ６４と拡張装置６５との間には、いわゆるＩ２Ｃ接続があってもよい。
【００４１】
この（デ）マルチプレクサ６６と６７は、例えば、２つの７４ＨＣ４０５１集積回路などの２つの（デ）マルチプレクサ回路６６と６７を有する。拡張装置６５は、例えば、ＰＣＦ８５７４集積回路を有し、生成装置６２は、例えば、ｕＰＤ１７２４０ＭＣ集積回路を有する。このとき、生成装置６２の６つのドライブライン出力は、（デ）マルチプレクサ回路６６の入力Ｙ０〜Ｙ５に接続され、生成装置６２の７つのスキャンライン入力は、（デ）マルチプレクサ６７の出力Ｙ０〜Ｙ６に接続される。（デ）マルチプレクサ回路６６の出力Ｚは、（デ）マルチプレクサ６７の入力Ｚと接続される。（デ）マルチプレクサ回路６６の３つの入力Ｓ０〜Ｓ２は、拡張装置６５の出力Ｐ０〜Ｐ２に接続され、（デ）マルチプレクサ回路６７の３つの入力Ｓ０〜Ｓ２は、拡張装置６５の出力Ｐ３〜Ｐ５に接続される。拡張装置６５の出力Ｐ６は、各（デ）マルチプレクサ回路６６と６７の入力に接続される。出力Ｐ０〜Ｐ２における第１拡張信号は、（デ）マルチプレクサ回路６６のＹ０〜Ｙ５入力の何れか１つが（デ）マルチプレクサ回路６６の出力Ｚに接続されるか決定し、出力Ｐ３〜Ｐ５における第２拡張信号が、（デ）マルチプレクサ回路６７のＹ０〜Ｙ５出力の何れか１つが（デ）マルチプレクサ回路６７の入力Ｚに接続されるか決定する。
【００４２】
この結果、データ信号のドライブライン・スキャンラインインタラクションへの変換は、従来技術による生成装置６２の利用を可能にし、当該従来技術による生成装置６２は、ドライブライン・スキャンラインインタラクションに応答して、コマンド信号を生成する。このような従来技術による生成装置６２は、従来技術によるコントロールユニットにおいて使用され、このとき、キーボードからそれらのドライブライン・スキャンラインインタラクションを受信する。本発明によると、キーボードは、本発明によるリモートコントロールインタフェース４の核心部を構成するコンバータ６１と生成装置６２と共に、コンバータ６１により置換される。
【００４３】
図６は、無線規格の広範な変形を送受信可能な図５の一般的な実施例を示す。図６の実施例は、赤外線、無線周波数、超音波、レーザビーム又は音響信号などを受信するための複数の受信機６０ａ、６０ｂ、６０ｃなどと、複数の送信機６３ａ、６３ｂ、６３ｃなどを含む。各送信機は、赤外線、無線周波数、超音波、レーザビーム又は音響信号などを送信するため、それの対応する生成装置６２ａ、６２ｂ、６２ｃなどを有する。本実施例は、各々が異なる又は同一の生成装置に接続される２つの送信機などを有し、各々が異なる又は同一の送信機に接続される２つの生成装置などを有するかもしれない。
【００４４】
本発明によるリモートコントロールインタフェース４の図７に示される第２サブインタフェース７は、無線信号であって、コントロールユニット２をソースとするデータを有するリモートコントロール信号を受信するさらなる受信機７０と、リモートコントロール信号をデータ信号に変換する変換装置７１と、データ信号を受信機６０に送信するさらなる送信機７２とを有する。このリモートコントロール信号は、図２及び３に示されるように、コントロールユニット２から直接到来可能であり、この場合、リモートコントロール信号は無線情報１７に対応する。従って、さらなる受信機７０は無線受信機である。さらなる送信機７２は、使用されるデータ信号のタイプに応じて、有線送信機、赤外線送信機、無線周波数送信機などである。変換装置７１とさらなる送信機７２との間には、いわゆるＰＣＩ、ＵＳＢ又はイーサネット（登録商標）接続が存在するかもしれない。
【００４５】
上述した実施例は本発明を限定するものでなく、説明するためのものであり、添付した請求項の範囲から逸脱することなく、当業者が他の多数の実施例を設計することが可能であるということに留意すべきである。例えば、本発明はまた、Ｂｌｕｅｔｏｏｔｈ、ＺｉｇＢｅｅ、８０２．１１ａなどの各種規格を利用した装置とのインタフェースをとるのに利用されてもよい。請求項において、括弧内に置かれた参照記号は、請求項を限定するものと解されるべきでない。「有する」という動詞とその派生語の使用は、請求項に記述した以外の他の要素又はステップの存在を排除するものでない。要素に先行する「ある」という冠詞は、このような要素が複数存在することを排除するものでない。本発明は、いくつかの相異なる要素を有するハードウェアと、適切にプログラムされたコンピュータにより実現可能である。複数の手段を列挙した装置クレームでは、これらの手段のいくつかは、単一かつ同一のハードウェアアイテムにより実現されてもよい。ある手段が互いに異なる従属クレームにより記載されるという事実は、これらの手段の組み合わせが効果的には利用可能でないということを示すものでない。
【図面の簡単な説明】
【００４６】
【図１】図１は、第１装置を遠隔制御するためのコントロールユニットと、第２装置を遠隔制御するための本発明によるリモートコントロールインタフェースとを有する本発明のシステムの図である。
【図２】図２は、第１装置を遠隔制御するためのコントロールユニットと、第２装置を遠隔制御するための本発明によるリモートコントロールインタフェースとを有する本発明のシステムの図である。
【図３】図３は、本発明による第１装置を遠隔制御するためのコントロールユニットと、第２装置を遠隔制御するための本発明によるリモートコントロールインタフェースとを有する本発明のシステムの図である。
【図４】図４は、本発明による第１装置を遠隔制御するためのコントロールユニットと、第２装置を遠隔制御するための本発明によるリモートコントロールインタフェースとを有する本発明のシステムの図である。
【図５】図５は、本発明によるリモートコントロールインタフェースの第１サブインタフェースの図である。
【図６】図６は、図５の本発明によるリモートコントロールインタフェースの第１サブインタフェースの一般的な実施例の図である。
【図７】図７は、本発明によるリモートコントロールインタフェースの第２サブインタフェースの図である。
【図１】
2008514092.tif 000003
【図２】
2008514092.tif 000004
【図３】
2008514092.tif 000005
【図４】
2008514092.tif 000006
【図５】
2008514092.tif 000007
【図６】
2008514092.tif 000008
【図７】
2008514092.tif 000009
【国際調査報告】
2008514092.tif 000010
2008514092.tif 000011